(57)【要約】    【課題】  従来、この種の書見台等の角度調整機構は蝶ネジ等で枢動可能に止めて、蝶ネジを緩めたり締めたりして角度を調節していたが自然に弛んだりして経時における角度を維持させるのが困難であった。    【解決手段】  本発明は、基台１と支持部材２と枢動手段３と天板４とを備えた書見台等であって、支持部材に摺動用凹溝２ａを形成し、摺動用凹溝にスライダー５を内装すると共に、スライダーを枢動手段に固定し、スライダーを摺動させることにより天板を枢動させるものであり、更に、スライダーには球体６を内装する球体用貫通孔５ｂを穿設し、球体用貫通孔に球体の係止片５ｃを突設すると共に、球体の押さえ片５ｄを突設し、押さえ片と係止片との間にスライダーの下面に球体を突出させて内装したものであり、更には、球体が挿脱自在に嵌入する凹陥部２ｂを形成したものである。    【選択図】  図１
2005278779.tif 000002
【特許請求の範囲】
【請求項１】
床面に安定して載置する基台と、該基台に立設させた棒状の支持部材と、該支持部材の先端に枢動手段を介装して枢動可能とした天板とを備えた書見台等であって、前記支持部材の長手方向の一辺に摺動用凹溝を形成し、該摺動用凹溝に摺動自在にスライダーを内装すると共に、前記スライダーを前記枢動手段の下端に固定し、前記スライダーを摺動させることにより天板を枢動させることを特徴とする書見台等の角度調整機構。
【請求項２】
前記スライダーには球体を内装する球体用貫通孔を穿設し、該球体用貫通孔の内周の対向する位置に前記球体を下方から係止する一対の係止片を突設すると共に、該一対の係止片とクロスする内周の対向する位置に前記球体を上方から弾圧させる一対の押さえ片を突設し、該夫々の押さえ片と夫々の係止片との間にスライダーの下面に球体を突出させて内装したことを特徴とする請求項１に記載の書見台等の角度調整機構。
【請求項３】
前記球体が挿脱自在に嵌入する単数又は複数の凹陥部を前記支持部材の摺動用凹溝の底部に形成したことを特徴とする請求項２に記載の書見台等の角度調整機構。
【発明の詳細な説明】
【技術分野】
【０００１】
本発明は書見台等の角度調整機構に関するものであり、更に、詳細には、演説の時の書見台や、店頭等にカタログやメニューを載置する移動が容易な書見台等の天板の角度を自在に調整できる書見台等の角度調整機構に関するものである。
【背景技術】
【０００２】
従来、この種の書見台等の角度調整機構は蝶ネジ等で枢動可能に止めて、蝶ネジを緩めたり締めたりして角度を調節していたが自然に弛んだりして経時における角度を維持させるのが困難であった。
【０００３】
その為に、例えば、２枚の板を先端部で貼り付けた本体と弾性を持つページホルダーの組み合わせで、本体の上板は受け部と、上方へ折り畳み自在の背板部と、複数の係止穴と、本等の綴じ代部の落ち込み穴とを有し、下板は係止穴に係合する凸部を設けた上方へ折り曲げ自在の支え板部と、残部の台板部とを有し、上板と下板の合わせ面にページホルダーの挿入用溝穴を設けたもの（特許文献１参照）や、滑り止めミゾと手前が高くなっている平面台と止め板を、止め板と書見板を、書見板とそれを支える支え板をそれぞれ蝶番でつないだ折りたたみ式書見台（特許文献２参照）や、 基枠の下部に２本の傾動パイプの下端を軸支して平行に連結し、その各傾動パイプに摺動自由に嵌入した伸縮パイプの上端を天板の下面に軸支し、その両伸縮パイプの対応位置に互いに対応する複数の止め孔を長さ方向に間隔をあけて形成し、両傾動パイプの対応位置に形成した挿通孔に通したピンを止め孔に出入りするようにするとともに、その両ピンをその挿通孔に進入する方向に付勢するばねを設け、かつ、その両ピンの対応する後端に曲成した把持部を片手で握ることができる間隔に保つストッパを設けたもの（特許文献３参照）等が開示されている。
【特許文献１】特開平５−１５４０１８号公報
【特許文献２】特開平１１−１６９２３６号公報
【特許文献３】特開平１０−１４７２２号公報
【発明の開示】
【発明が解決しようとする課題】
【０００４】
然し乍ら、先に開示された、２枚の板を先端部で貼り付けた本体と弾性を持つページホルダーの組み合わせで、本体の上板は受け部と、上方へ折り畳み自在の背板部と、複数の係止穴と、本等の綴じ代部の落ち込み穴とを有し、下板は係止穴に係合する凸部を設けた上方へ折り曲げ自在の支え板部と、残部の台板部とを有し、上板と下板の合わせ面にページホルダーの挿入用溝穴を設けたものでは、平面状のものであり、且つ、ある程度の角度の調整は可能なものの４５°から直角に近い角度の調整しかできず、人間が立った状態でメモ等を載置して書見するには適していないものである。
【０００５】
又、滑り止めミゾと手前が高くなっている平面台と止め板を、止め板と書見板を、書見板とそれを支える支え板をそれぞれ蝶番でつないだ折りたたみ式書見台でも、平面状のものであり、人間が立った状態でメモ等を載置して書見するには更に机か台が必要となり適していないものである。
【０００６】
加えて、基枠の下部に２本の傾動パイプの下端を軸支して平行に連結し、その各傾動パイプに摺動自由に嵌入した伸縮パイプの上端を天板の下面に軸支し、その両伸縮パイプの対応位置に互いに対応する複数の止め孔を長さ方向に間隔をあけて形成し、両傾動パイプの対応位置に形成した挿通孔に通したピンを止め孔に出入りするようにするとともに、その両ピンをその挿通孔に進入する方向に付勢するばねを設け、かつ、その両ピンの対応する後端に曲成した把持部を片手で握ることができる間隔に保つストッパを設けたものでは、角度の設定は自在なものの構造が複雑で大掛かりなものと成っており課題を有しているものである。
【課題を解決するための手段】
【０００７】
本発明の書見台等の角度調整機構は、前述の課題に鑑み、鋭意研鑽の結果、床面に載置する基台と、基台に立設させた支持部材と、支持部材の先端に枢動手段を介装した天板とを備えた書見台等であって、支持部材の長手方向に摺動用凹溝を形成し、摺動用凹溝にスライダーを内装すると共に、スライダーを枢動手段の下端に固定し、スライダーを摺動させることにより天板を枢動させるものであり、更に、スライダーには球体を内装する球体用貫通孔を穿設し、球体用貫通孔の内周に球体を下方から係止する一対の係止片を突設すると共に、一対の係止片とクロスする内周に球体を上方から弾圧させる一対の押さえ片を突設し、押さえ片と係止片との間にスライダーの下面に球体を突出させて内装したものであり、更には、球体が挿脱自在に嵌入する凹陥部を支持部材の摺動用凹溝の底部に形成したものである。
【発明の効果】
【０００８】
本発明の書見台等の角度調整機構は、床面に載置する基台に立設させた支持部材の長手方向の一辺に摺動用凹溝を形成し、該摺動用凹溝に摺動自在のスライダーを内装させ、該スライダーと枢動手段の下端とを固定して摺動させることにより天板の角度を自在に可変できるものであり、更には、スライダーの下面に突出する球体を内装させたことから、スライダーの材料特性の弾性により絶えず球体を摺動用凹溝の底部に押し付けており、適宜な抵抗を負荷させるもので、更には、摺動用凹溝の底部に凹陥部を形成したことによりスライダーから突出させた球体が嵌入し、任意の凹陥部の位置で停止させて天板の角度をしっかりと係止できるもので、簡易な構造でデザイン的にも優れたものであり、画期的で極めて実用性の高い発明である。
【発明を実施するための最良の形態】
【０００９】
本発明は書見台等の角度調整機構に関するものであり、更に、詳細には、演説の時の書見台や、店頭等にカタログやメニューを載置する移動が容易な書見台等の天板の角度を自在に調整できる書見台等の角度調整機構に関するものであり、請求項１に記載の書見台等の角度調整機構は、床面に安定して載置する基台１と、該基台１に立設させた棒状の支持部材２と、該支持部材２の先端に枢動手段３を介装して枢動可能とした天板４とを備えた書見台等であって、前記支持部材２の長手方向の一辺に摺動用凹溝２ａを形成し、該摺動用凹溝２ａに摺動自在にスライダー５を内装すると共に、前記スライダー５を前記枢動手段３の下端に固定し、前記スライダー５を摺動させることにより天板４を枢動させるものである。
【００１０】
更に、請求項２に記載の書見台等の角度調整機構は、請求項１に記載の書見台等の角度調整機構において、前記スライダー５には球体６を内装する球体用貫通孔５ｂを穿設し、該球体用貫通孔５ｂの内周の対向する位置に前記球体６を下方から係止する一対の係止片５ｃを突設すると共に、該一対の係止片５ｃとクロスする内周の対向する位置に前記球体６を上方から弾圧させる一対の押さえ片５ｄを突設し、該夫々の押さえ片５ｄと夫々の係止片５ｃとの間にスライダー５の下面に球体６を突出させて内装したものである。
【００１１】
更には、請求項３に記載の書見台等の角度調整機構は、請求項２に記載の書見台等の角度調整機構において、前記球体６が挿脱自在に嵌入する単数又は複数の凹陥部２ｂを前記支持部材２の摺動用凹溝２ａの底部に形成したものである。
【実施例】
【００１２】
以下、本発明の書見台等の角度調整機構の実施例の図面を用いて詳細に説明すると、図１は本発明の書見台等の角度調整機構の実施例の概要を説明するための概要側面図であり、図２は本発明の書見台等の角度調整機構の実施例の要部断面図であり、図３は本発明の書見台等の角度調整機構の実施例のスライダーの縦断面図であり、図４は本発明の書見台等の角度調整機構の実施例のスライダーの平面図であり、図５は本発明の書見台等の角度調整機構の次実施例の要部断面図である。
【００１３】
即ち、本発明の書見台等の角度調整機構は、演説の時の書見台や、店頭等にカタログやメニューを載置する台や、商品等を傾斜させて展示する台等に好適なもので、天板４の角度を自在に調整できると共に移動が容易なものである。
【００１４】
そして、基台１は床面に安定して載置するためのものであり、一般的には適宜な厚みの鉄板等で形成し、重量を有しているものであり、中心には後述する支持部材２を立設させているものである。
【００１５】
次に、支持部材２は適当な長さの中空棒状のもので、アルミニウム等の金属か、硬質合成樹脂等で形成するもので、図２に図示する如く、長手方向の一辺に略コ字状の摺動用凹溝２ａを形成しているものであり、摺動用凹溝２ａには後述するスライダー５を内装すると共に、中空部には支持部材２の両端部に嵌着するキャップや後述する摺動手段３の天板接続具３ａ等が容易に且つしっかりと固定されるように断面略Ｃ字状の２つの接続用溝２ｄを夫々長手方向の全長にわたって形成しているもので、基端は基台１を貫通させて接続用溝２ｄを利して基台１との接続具を嵌着させ、接続具と基台１とをボルトで固定しているもので、先端には後述する天板４と枢動可能に接続する天板接続具３ａを嵌着させているものであるが、その手段は特に限定しないものである。
【００１６】
次いで、天板４は適当な広さの平板状のもので、メモやカタログ等の紙や商品を載置できるものであり、下端辺には桟体を設けて傾斜状態でもずり落ちないようにしており、天板４の裏面には桟体かリブ等を立設させて支持部材２の頂部に嵌着させた摺動手段３の天板接続具３ａと天板枢動軸３ｂで枢動可能に枢着しているものである。
【００１７】
更に、摺動手段３は各種考慮され実施例に限定するものではないが、摺動手段３の下端をスライダー５に固定しているもので、実施例では支え杆３ｃは上方を天板枢動軸３ｂの上方に間隔を有した天板４の裏面と枢動自在に上方枢動軸３ｄで枢着しているものであり、下方は後述するスライダー５に一体的に固定したスライダーカバー５ｆと枢動自在に下方枢動軸３ｅで枢着している細長い板状のものである。
【００１８】
更には、スライダーカバー５ｆは図２に図示する如く横断面コ字状のものであり、側面には支え杆３ｃの下方と枢動自在に下方枢動軸３ｅで枢着しているもので、底面には後述するスライダー５を固定しているものである。
【００１９】
そして、スライダー５は実施例では合成樹脂で形成したものであり、図２乃至図４に図示する如く、略平板状のもので両側には後述する摺動用凹溝２ａの案内片２ｃと合致する段部５ｅを形成すると共に、スライダーカバー５ｆと固定する固定部５ａを形成しているもので、支持部材２の長手方向に形成した摺動用凹溝２ａを自在に摺動するものである。
【００２０】
更に、案内片２ｃは支持部材２の摺動用凹溝２ａの長手方向の両側辺に夫々内方向に突出させて形成したものであり、スライダー５の摺動を案内すると共にスライダー５の抜落を防止するものである。
【００２１】
更には、固定部５ａはスライダーカバー５ｆとスライダー５とを固定させるもので、実施例ではボルト挿通孔を穿設してボルトによってスライダーカバー５ｆとスライダー５とを固定させるものでも、接着部を設けて溶着又は接着等の手段で固定しても構わないものである。
【００２２】
そして、球体用貫通孔５ｂは、図２乃至ず４に図示する如く、スライダー５の上下方向を矩形状に貫通させて穿設しているもので、球体用貫通孔５ｂの内周の巾方向の対向する位置には後述する球体６を下方から係止する一対の係止片５ｃを突設しており、更に、球体用貫通孔５ｂの夫々の係止片５ｃとクロスする、つまり、長手方向の内周の対向する位置に球体６を上方から弾圧する一対の押さえ片５ｄを突設しているものである。
【００２３】
更に、球体６は金属製のもので一対の係止片５ｃと一対の押さえ片５ｄとの間に内装させるもので、スライダー５の材料特性の弾性によって夫々の押さえ片５ｄが球体６を上方から弾圧しており、夫々の係止片５ｃは下方から球体６を抜落させないように係止させているものであるが、球体６の下方はスライダー５の下面に突出するようにしているものである。
【００２４】
つまり、球体６をスライダー５の下面に突出するように夫々の押さえ片５ｄで弾圧させたことによって、支持部材２の摺動用凹溝２ａを摺動するスライダー５に抵抗を付与して任意の位置で自在に停止できるものである。
【００２５】
更には、凹陥部２ｂは支持部材２の摺動用凹溝２ａの底部に単数又は複数を形成しているもので、椀状に窪むものでも球体６の径より稍小さい径をした円孔でも構わないもので、つまり、スライダー５の夫々の押さえ片５ｄで弾圧された球体６が挿脱自在に嵌入するものであり、球体６を凹陥部２ｂに嵌入することでよりスライダー５の停止を一層確実にするものである。
【００２６】
本発明の書見台等の角度調整機構は前述の構成から、天板４は支持部材２の頂部の天板接続具３ａと枢動自在に天板枢動軸３ｂで枢着されており、一方、スライダー５を上下に摺動させることでスライダーカバー５ｆと下方枢動軸３ｅで枢着された支え杆３ｃが移動し、支え杆３ｃの移動に伴い上方枢動軸３ｄで枢着された天板４の角度の調整を自在とするものである。
【産業上の利用可能性】
【００２７】
本発明の書見台等の角度調整機構は、取扱いが簡単で自在に天板の角度が調整でき、外観もスマートなデザインを創作することができる書見台や店頭での展示物の台等を提供するものである。
【図面の簡単な説明】
【００２８】
【図１】図１は本発明の書見台等の角度調整機構の実施例の概要を説明するための概要側面図である。
【図２】図２は本発明の書見台等の角度調整機構の実施例の要部断面図である。
【図３】図３は本発明の書見台等の角度調整機構の実施例のスライダーの縦断面図である。
【図４】図４は本発明の書見台等の角度調整機構の実施例のスライダーの平面図である。
【図５】図５は本発明の書見台等の角度調整機構の次実施例の要部断面図である。
【符号の説明】
【００２９】
１      基台
２      支持部材  
２ａ    摺動用凹溝
２ｂ    凹陥部
２ｃ    案内片
２ｄ    接続用溝
３      摺動手段
３ａ    天板接続具
３ｂ    天板枢動軸
３ｃ      支え杆
３ｄ      上方枢動軸
３ｅ      下方枢動軸
４      天板
５    スライダー
５ａ  固定部
５ｂ  球体用貫通孔
５ｃ  係止片
５ｄ  押さえ片
５ｅ  段部
５ｆ  スライダーカバー
６    球体
【図１】
2005278779.tif 000003
【図２】
2005278779.tif 000004
【図３】
2005278779.tif 000005
【図４】
2005278779.tif 000006
【図５】
2005278779.tif 000007